(57)【要約】
　【課題】広告に供し得るアドバルーンであって、日除けや雨避けに好適の偏平状の浮力付きアドバルーンを提供すること。
　【解決手段】ヘリウムガスを収容した浮力付きアドバルーンにおいて、気密性の膜材で構成され且つ水平方向の長さや幅によりも上下の厚さが小さい偏平状に膨張するアドバルーン本体を設け、偏平状に膨張させる為に、アドバルーン本体の少なくとも外周付近部分において、上面側膜材と下面側膜材とが所定の離間距離となるように拘束する拘束手段をアドバルーン本体の内側に設け、アドバルーン本体の外周部下端に連結した複数のロープ体で支えることでアドバルーン本体を支持し、アドバルーン本体の上面の一部には膜状の太陽電池を付設し、アドバルーン本体の側面と下面には広告用表示体を付設し、広告には発光ダイオードからなる複数の装飾ランプを設け、アドバルーン本体の４隅用は扇風機を付設し、日除けや雨避けに適用可能に構成した。
【選択図】　図１
0003099641.tif 000002
【実用新案登録請求の範囲】
【請求項１】
　ヘリウムガスを収容した浮力付きアドバルーンにおいて、
　気密性の膜材で構成され偏平状に膨張するアドバルーン本体を設け、
　このアドバルーン本体を偏平状に膨張させる為に、アドバルーン本体の少なくとも外周付近部分において、相対向する膜材同士間の間隔が所定の離間距離となるように拘束する拘束手段をアドバルーン本体の内側に設けたことを特徴とする浮力付きアドバルーン。　　　
【請求項２】
　ヘリウムガスを収容した浮力付きアドバルーンにおいて、
　気密性の膜材で構成され且つ水平方向の長さや幅よりも上下の厚さが小さい偏平状に膨張するアドバルーン本体を設け、
　このアドバルーン本体を偏平状に膨張させる為に、アドバルーン本体の少なくとも外周付近部分において、上面側膜材と下面側膜材とが所定の離間距離となるように拘束する拘束手段をアドバルーン本体の内側に設けたことを特徴とする浮力付きアドバルーン。　　　　
【請求項３】
　前記アドバルーン本体の側面と下面の少なくとも一方に広告用表示体を設け、アドバルーン本体の外周部下端部に複数のロープ体を連結したことを特徴とする請求項２に記載の浮力付きアドバルーン。
【請求項４】
　前記アドバルーン本体の上面の少なくとも一部に太陽電池を設けたことを特徴とする請求項２又は３に記載の浮力付きアドバルーン。
【請求項５】
　前記アドバルーン本体の上面側膜材の中央側部分は、雨水が溜まらないように上方へ緩く膨らんだ形状に構成されたことを特徴とする請求項２〜４の何れかに記載の浮力付きアドバルーン。
【請求項６】
　　前記アドバルーン本体は、日除け又は雨避けとして使用可能であることを特徴とする請求項２〜５の何れかに記載の浮力付きアドバルーン。
【考案の詳細な説明】
【技術分野】
【０００１】
　本考案は、浮力付きアドバルーンに関し、特に広告機能、日除け機能、雨避け機能等に優れた偏平な浮力付きアドバルーンに関する。
【背景技術】
【０００２】
　従来、浮力付きアドバルーンのアドバルーン本体は、通常ロープに連結し、アドバルーン本体やロープに、広告用表示を付し、約１０ｍ以上もの高所に浮遊させた形態で使用されることが多い。このアドバルーンは、気密性の膜材で構成する関係上、また、内部にヘリウムガスを収容する関係上、球形状のものが多く、稀に、熊やパンダやキリン等の動物の形状に構成される場合もある。
　特許文献１には、ヘリウムガスによる浮力付きの飛行船に太陽電池を搭載し、この太陽電池からの電力でプロペラを駆動可能にし、飛行船に広告用の拡声器を設け、無線方式にて地上の自動車から広告情報を受けて、拡声器から出力するように構成した屋外広告装置が記載されている。
　特許文献２には、熊の形状をしたアドバルーンの頭部分、胴部分、手部分、足部分を独立気密室に構成し、胴部分の側面に広告用表示を付し、胴部分の上面に太陽電池を設け、頭部分、手部分、足部分をモータで駆動する駆動機構を設け、地上から無線操縦により、頭部分、手部分、足部分を独立に動かせるようにしたアドバルーンが記載されている。
【特許文献１】特開平５−２９４２８８号公報
【特許文献２】実用新案登録第３０８８９５４号公報
【考案の開示】
【考案が解決しようとする課題】
【０００３】
　従来、アドバルーンは専ら広告用に使用され、ごく稀に、遊園地等におけるアトラクション用に使用されて来たが、広告機能のあるアドバルーンでもって日除けや雨避けを構成しようとする発想はなかった。それは、通常のアドバルーンの内部に収容するヘリウムガスの体積を確保するため、またアドバルーンの構造上、通常のアドバルーンが球形状や球場に近い立体感のある形状に構成されていたので、日除けや雨避けに適した形状のものではなかったからである。広告用の大きな平らな表示面を確保しにくい形状であった。
　本考案の目的は、広告に供し得るアドバルーンであって、日除けや雨避けに好適の上下厚さの小さな偏平状の浮力付きアドバルーンを提供することである。
【課題を解決するための手段】
【０００４】
　請求項１の浮力付きアドバルーンは、ヘリウムガスを収容した浮力付きアドバルーンにおいて、気密性の膜材で構成され偏平状に膨張するアドバルーン本体を設け、このアドバルーン本体を偏平状に膨張させる為に、アドバルーン本体の少なくとも外周付近部分において、相対向する膜材同士間の間隔が所定の離間距離となるように拘束する拘束手段をアドバルーン本体の内側に設けたものである。
【０００５】
　アドバルーン本体の少なくとも外周付近部分において、相対向する膜材同士間の間隔が所定の離間距離となるように拘束手段により拘束するため、アドバルーン本体を偏平状に膨張させることがができる。このアドバルーン本体は、上下の厚さが小さな偏平状に構成することもあるし、水平方向の厚さが小さな偏平状に構成することもある。
　そのアドバルーン本体は、その表面（側面、下面など）に広告用表示体を設けることで広告用に使用できるうえ、アドバルーン本体が上下方向の厚さが小さな偏平状である場合は、人が多数集まるような場所において日除けや雨避けに使用するのに適している。　アドバルーン本体が水平方向に偏平状である場合は、側面に大きな広告用の表示面を形成すくことができる。拘束手段をアドバルーン本体の内側に設けたため、その拘束手段がアドバルーン本体の外部に露出することがなく、外観を損なうことがない。
【０００６】
　請求項２の浮力付きアドバルーンは、ヘリウムガスを収容した浮力付きアドバルーンにおいて、気密性の膜材で構成され且つ水平方向の長さや幅によりも上下の厚さが小さい偏平状に膨張するアドバルーン本体を設け、このアドバルーン本体を偏平状に膨張させる為に、アドバルーン本体の少なくとも外周付近部分において、上面側膜材と下面側膜材とが所定の離間距離となるように拘束する拘束手段をアドバルーン本体の内側に設けたものである。
【０００７】
　アドバルーン本体の少なくとも外周付近部分において、上面側膜材と下面側膜材とが所定の離間距離となるように拘束手段により拘束するため、アドバルーン本体を偏平状に膨張させることがができる。そのアドバルーン本体は、その表面（側面、下面など）に広告用表示体を設けることで広告用に使用できるうえ、アドバルーン本体が偏平状であるため、人が多数集まるような場所において日除けや雨避けに使用するのに適している。
　拘束手段をアドバルーン本体の内側に設けたため、その拘束手段がアドバルーン本体の外部に露出することがなく、外観を損なうことがない。
【０００８】
　請求項３の浮力付きアドバルーンは、請求項２の考案において、前記アドバルーン本体の側面と下面の少なくとも一方に広告用表示体を設け、アドバルーン本体の外周部下端部に複数のロープ体を連結したものである。複数のロープ体を１又は複数の人が手で支えることにより、又は、ロープ体の下端部分を地上の固定物や重量物に連結することにより、アドバルーン本体を支持することができる。
【０００９】
　請求項４の浮力付きアドバルーンは、請求項２又は３の考案において、前記アドバルーン本体の上面の少なくとも一部に太陽電池を設けたものである。前記太陽電池は、軽量化の観点から膜状の太陽電池で構成することが望ましい。
　請求項５の浮力付きアドバルーンは、請求項２〜４の何れかの考案において、前記アドバルーン本体の上面側膜材の中央側部分は、雨水が溜まらないように上方へ緩く膨らんだ形状に構成されたものである。アドバルーン本体の上面側膜材の中央側部分に雨水が溜まるのを防ぐことができる。
　請求項６の浮力付きアドバルーンは、請求項２〜５の何れかの考案において、前記アドバルーン本体は、日除け又は雨避けとして使用可能であることを特徴とするものである。　繁華街の交差点、イベント会場付近、種々の人の行列のできる屋外の場所、球場などに設置して、日除け又は雨避けとして使用することができる。
【考案の効果】
【００１０】
　請求項１の考案（浮力付きアドバルーン）によれば、気密性の膜材で構成され且つ水平方向の長さや幅によりも上下の厚さが小さい偏平状に膨張するアドバルーン本体であり、アドバルーン本体の少なくとも外周付近部分において、上面側膜材と下面側膜材とが所定の離間距離となるように拘束する拘束手段を設けたので、アドバルーン本体の内部容積の割りに、平面視の面積が大きなアドバルーンとなる。そのため、広告用に使用するのに好適なアドバルーンとなるうえ、日除けや雨避け用に使用可能なアドバルーンとなる。特に、アドバルーン本体の下面等に、アドバルーン本体の内部容積（ヘリウムガスの体積）の割りに大きな広告用の表示面を確保できるから、広告媒体として使用するのに好適であり、ヘリウムガスのコスト節減の面で有利である。
　拘束手段をアドバルーン本体の内側に設けたため、その拘束手段がアドバルーン本体の外部に露出することがなく、外観を損なうことがない。
【００１１】
　請求項２の考案によれば、複数のロープ体を１又は複数の人が手で支えることにより、又は、ロープ体の下端部分を地上の固定物や重量物に連結することにより、アドバルーン本体を支持することができる。　
　請求項３の考案によれば、アドバルーン本体の上面の少なくとも一部に太陽電池を設けたので、アドバルーン本体側に設置される電気機器（外部照明灯、内部照明灯、人目を引きつける為の装飾用ランプ、表示パネルやディスプレイ、扇風機、音響機器など）に給電することができる。
【００１２】
　請求項４の考案によれば、アドバルーン本体の上面側膜材の中央側部分は、雨水が溜まらないように上方へ緩く膨らんだ形状に構成されたため、アドバルーン本体の上面側膜材の中央側部分に雨水が溜まるのを防ぐことができる。
　請求項５の考案によれば、アドバルーン本体は、日除け又は雨避けとして使用可能であるので、繁華街の交差点、種々のイベント会場付近、種々の人の行列のできる屋外の場所、球場などに設置して、日除けや雨避けとして使用することができる。
【考案を実施するための最良の形態】
【００１３】
　本考案に係る浮力付きアドバルーンは、ヘリウムガスを収容した浮力付きアドバルーンにおいて、気密性の膜材で構成され且つ水平方向の長さや幅によりも上下の厚さが小さい偏平状に膨張するアドバルーン本体を設け、このアドバルーン本体を偏平状に膨張させる為に、アドバルーン本体の少なくとも外周付近部分において、上面側膜材と下面側膜材とが所定の離間距離となるように拘束する拘束手段をアドバルーン本体の内側に設けたことを特徴とするものである。以下、本考案を実施するための最良の形態について説明する。
【実施例】
【００１４】
　図１〜図４に示すように、浮力付きアドバルーン１は、ヘリウムガスを所定のガス圧で収容した浮力付きアドバルーンであり、このアドバルーン１は、アドバルーン本体２、太陽電池３、複数のロープ体４、広告用表示体５，６、複数の装飾ランプ７、４つの小型扇風機８（図５参照）などを有するものである。
【００１５】
　アドバルーン本体２は、気密性の膜材で構成され、このバルーン本体２は、平面視長方形状の偏平な形状のものである。例えば、アドバルーン本体２の水平方向の長さは１０ｍ、水平本体の幅は５ｍ、上下の厚さは外周付近部において１ｍ、外周付近部の内側の中央側部分において約１．４ｍである。つまり、このアドバルーン本体２は、水平方向の長さや幅によりも上下の厚さが小さい偏平状に膨張している。アドバルーン本体２を構成する膜材は、上面膜材１０、下面膜材１１、２つの長辺側面膜材１２、２つの短辺側面膜材１３などからなる。尚、アドバルーン本体２の水平方向長さをＬ、水平方向幅をＢ、上下厚さをＨとすると、偏平形状を確保する観点からはＬ≧Ｂ≧３Ｈとすることが望ましい。
【００１６】
　このアドバルーン本体２を偏平状に膨張させる為に、アドバルーン本体２の少なくとも外周付近部分において、上面側膜材１０と下面側膜材１１とが所定の離間距離となるように拘束する拘束手段１４をアドバルーン本体２の内側に設けてある。
　アドバルーン本体２を構成する膜材としては、例えば強度に優れる薄紙や薄布に合成樹脂膜をラミネートした構造の気密性のラミネート膜材、その他、種々の合成樹脂製の気密性の膜材を適用することできる。
【００１７】
　図２〜図３に基づいて、拘束手段１４について説明する。
　この拘束手段１４は、アドバルーン本体２を偏平状に膨張させる為に、アドバルーン本体２の少なくとも外周付近部分において、上面側膜材１０と下面側膜材１１とが所定の離間距離となるように拘束するものである。この拘束手段１４は、例えば１４本の拘束ロープ１５と、それら拘束ロープ１５の上下両端部を上面側膜材１０や下面側膜材１１に連結する連結パッド１６とその連結片１７などで構成されている。
【００１８】
　アドバルーン本体２の外周縁から内側へ１ｍずれた位置において、約２ｍピッチにて連結パッド１６が上面側膜材１０と下面側膜材１１の内面に相対向状に接着固定され、上下に対向する各組の連結パッド１６の連結片１７同士が、合成樹脂製の所定長さの連結ロープ１５により連結され（図４参照）、アドバルーン本体２の少なくとも外周付近部分において、上面側膜材１０と下面側膜材１１とが所定の離間距離（本実施形態の場合、約１ｍ）となるように拘束されている。
【００１９】
　アドバルーン本体２の外周付近部分よりも中央側部分に、前記のような拘束手段１４を付設しないので、雨水が溜まらないように上面側膜材１０の中央側部分が上方へ緩く膨らんだ形状になり、下面側膜材１１の中央側部分も下方へ緩く膨らんだ形状になっている。それ故、アドバルーン本体２内の容積を大きくし浮力を確保する上でも有利である。拘束手段１４を連結ロープ１５を主体として構成しているため、構造が簡単で軽量化の面でも有利である。但し、連結ロープ１５の代わりに、膜材やネット体を主体として拘束手段を構成することも可能である。本実施形態では、アドバルーン本体２の外周付近部分にのみ、拘束手段１４を設けたが、アドバルーン本体２のほぼ全面に縦横方向に適当間隔おきに設けることも可能である。
【００２０】
　アドバルーン本体２の上面側膜材１０の中央側部分には、例えば６枚の膜状の太陽電池３（例えば、合計最大出力約１０００Ｗ）が付設され、この太陽電池３は、図５に示すように、コントローラ９に接続されている。
　なお、アドバルーン本体２は、設置場所まで、ヘリウムガスを充填しない収縮状態（折り畳み状態）で搬送され、設置地点においてヘリウムガスを充填して膨張状態にする。そこで、太陽電池３はアドバルーン本体２に着脱可能に付設され、アドバルーン本体２を膨張させてから、アドバルーン本体２の屋根面に取り付けるものとする。
【００２１】
　アドバルーン本体２を所定の設置位置に位置拘束するために、アドバルーン本体２の外周部下端部には適当間隔おき合成樹脂製のロープ体４が連結され、図示のように４隅付近の複数本のロープ体４の下端が把手部材４ａに連結され、各把手部材４ａを係員が手で掴んで保持したり、把手部材４ａを別のロープ等により、地上の固定物や重量物（コンクリートブロック等）に連結することで、アドバルーン本体２を支持するようになっている。但し、把手部材４ａは省略可能であり、ロープ体４を直接地上側へ連結してもよい。
【００２２】
　なお、アドバルーン本体２を位置させる高さ位置は、アドバルーン本体２を使用する用途に応じて適宜設定するものとする。例えば、広告媒体として機能させる共に、日除けや雨避け等に供する場合には、アドバルーン本体２は、地上約２．５〜５ｍ位の高さ位置に保持することが望ましい。但し、主に広告媒体として使用する場合には、前記の高さ位置に限定される訳ではなく、例えば、５〜２０ｍ、或いは２０ｍ以上の高さ位置に設置することもある。そして、アドバルーン本体２を保持する高さ位置は、アドバルーン本体２の大きさとも関連して設定することになる。とにかく、アドバルーン本体２を浮遊させる高さ位置は、アドバルーン本体２の大きさや用途に応じて適宜設定するものとする。
【００２３】
　次に、広告用表示体５，６について説明する。
　本実施形態のアドバルーンの場合、アドバルーン本体２の２つの長辺側面１２には、図示のように、「ＡＢＣ、ＤＥＦビール」という広告を表示した広告用表示体５が取り外し可能に取り付けられ、アドバルーン本体２の２つの短辺側面１３には、「ＸＹＺカメラ」という広告を表示した広告用表示体６が取り外し可能に取り付けられ、また、図示してないが、アドバルーン本体２の下面には、例えば化粧品メーカーの広告を大きく表示した広告用表示体が取り外し可能に取り付けられている。
　前記広告用表示体５，６は、例えば合成樹脂製の種々の色彩の薄板又はシート体に、広告用表示を記したものであり、この広告用表示体５，６は、例えばゴム磁石やファスナーや粘着テープや接着や紐などによりアドバルーン本体２に着脱可能に固定される。
【００２４】
　前記の「ＡＢＣ、ＤＥＦビール」という広告を表示した広告用表示体５には、例えば、５つの発光ダイオードの装飾ランプ７（赤、緑、青等の発光色）が装備され、これらの装飾ランプ７を連続点灯や点滅させることで、人目を引くようになっている。前記の装飾ランプ７は、コントローラ９（図５参照）に接続されて制御され給電される。なお、装飾ランプ７の数や配置は図示のものに限定される訳ではなく、種々のパターンにて装備することができる。また、アドバルーン本体２の４隅部には、涼風発生のための扇風機８（図５参照）が設けられており、これら扇風機８はコントローラ９に接続されて制御され給電される。
【００２５】
　次に、図５に示すように、コントローラ９がアドバルーン本体２に付設され、太陽電池３、複数の装飾ランプ７、４つの扇風機８、操作端末器２０などがコントローラ９に接続されている。コントローラ９は、操作端末器２０からの指令に基づいて、発電電力、電気機器（装飾ランプ７、扇風機８など）への給電電圧、給電電流、電気機器のオン、オフ制御などを行うように構成されている。なお、コントローラ９は地上に設置し、ケーブル等で電気機器と接続してもよい。
【００２６】
　以上説明した浮力付きアドバルーン１の作用効果について説明する。
　気密性の膜材で構成され且つ水平方向の長さや幅よりも上下の厚さが小さい偏平状に膨張するアドバルーン本体２であり、アドバルーン本体２の少なくとも外周付近部分において、上面側膜材１０と下面側膜材１１とが所定の離間距離となるように拘束する拘束手段１４を設けたので、アドバルーン本体２の内部容積の割りに、平面視の面積が大きなアドバルーンとなる。そのため、広告用に使用するのに好適なアドバルーンとなるうえ、日除けも雨避け用にも好適なアドバルーンとなる。または、偏平な構造であるため、風の影響も受けにくい。
【００２７】
　特に、アドバルーン本体２の下面等に、アドバルーン本体２の内部容積（ヘリウムガスの体積）の割りに大きな広告用の表示面を確保できるから、広告媒体として使用するのに好適であり、ヘリウムガスのコスト節減の面で有利である。拘束手段１４をアドバルーン本体２の内側に設けたため、その拘束手段１４がアドバルーン本体２の外部に露出することがなく、外観を損なうことがない。
【００２８】
　複数のロープ体４を１又は複数の係員が手で支えることにより、又はロープ体４の下端部分を地上の固定物や重量物に連結することにより、アドバルーン本体２を支持することができ、アドバルーン本体　　を水平姿勢に保持することができる。
　アドバルーン本体２の上面の少なくとも一部に太陽電池３を設けたので、アドバルーン本体３側に設置される電気機器（装飾用ランプ７、扇風機８など）に給電することができる。前記の電気機器以外に、あまり重量の重くない種々の電気機器をアドバルーン本体２側に装備することが可能となった。そのため、広告媒体としての機能を高めることが可能となった。
【００２９】
　アドバルーン本体２の上面側膜材１０の中央側部分は、雨水が溜まらないように上方へ緩く膨らんだ形状に構成されたため、アドバルーン本体２の上面側膜材１０の中央側部分に雨水が溜まるのを防ぐことができる。アドバルーン本体２は、日除け又は雨避けとして使用可能であるので、繁華街の交差点、種々のイベント会場付近、種々の人の行列の発生する屋外の場所、球場付近などに設置して、日除け又は雨避けとして使用することができる。
【００３０】
　次に、前記実施形態を部分的に変更する変更例について説明する。
　１）本実施形態のアドバルーン１における、アドバルーン本体２の寸法やロープ体４の数は一例を示すものに過ぎず、自由に設定可能である。
　そして、アドバルーン本体２の平面視の形状は、長方形状であるが、この形状に限定される訳ではなく、例えば、円形、三角形、多角形、ドッーナツ形状、矩形枠形状、等種々の形状に構成することもあり得る。
【００３１】
　２）アドバルーン本体２の全体的な形状として、水平方向の長さや幅よりも上下方向の厚さが小さな偏平形状であって、偏平状のアドバルーン本体２が全体として上方に湾曲した部分球面状や部分回転楕円体面でもよい。
【００３２】
　３）アドバルーン本体の形状は、前記実施形態のアドバルーン本体２を９０度方向変換して立て向き姿勢（水平方向の厚さが小さく偏平な、立て長又は横長の姿勢）にしたような偏平状に構成することもある。但し、この場合、複数のロープ体４は、アドバルーン本体の下端部に連結することになる。このアドバルーンでは、鉛直の側面に大きな広告用の表示面を形成できるので、広告用に適している。即ち、このアドバルーンの場合、気密性の膜材で構成され偏平状に膨張するアドバルーン本体を設け、このアドバルーン本体を偏平状に膨張させる為に、アドバルーン本体の少なくとも外周付近部分において、相対向する鉛直向きの膜材同士間の間隔が所定の離間距離となるように拘束する拘束手段（前記拘束手段１４と同様の拘束手段）をアドバルーン本体の内側に設ける。尚、このアドバルーンの場合、上面に雨水が溜まる虞が少ないので、また、広告用の表示面が極力平らな面となるように前記拘束手段をアドバルーン本体のほぼ全面に亙って適当間隔おきに設けることが望ましい。
【００３３】
　４）広告用表示体５，６に液晶やＥＬからなる表示パネルやディスプレイを装備することも可能であり、また、アドバルーン本体２内に照明用のランプ類を装備し、その照明光にて広告の文字や図形等を内方から照明することも可能であり、レーザービーム投射手段をアドバルーン本体２に装備することもあり得る。これらは特に夜間に有効である。
　また、太陽電池３からの給電により携帯電話に充電する複数の充電器を吊り下げ式に空中に又は地上側に設けることもあり得る。そこで、太陽電池３で発電した電力を蓄電する２次電池等を装備することもあり得る。その２次電池等は、アドバルーン本体２側に設けてもよいが、地上に設けてもよい。
【００３４】
　５）太陽電池３は、膜状のものが望ましいが、軽量なものであればパネル状の太陽電池も適用可能である。また、複数のアドバルーン本体２を隣接させて使用するような場合に、アドバルーン本体２同士を連結するために、アドバルーン本体２の長辺側面と短辺側面の少なくとも一方に、アドバルーン本体２同士を連結する連結手段（紐、ファスナー等）を設けることもあり得る。
【図面の簡単な説明】
【００３５】
【図１】本考案の実施形態に係る浮力付きアドバルーンの斜視図である。
【図２】アドバルーン本体の平面図である。
【図３】図２のIII-III 線断面図である。
【図４】図3 の要部拡大図である。
【図５】電気機器の構成図である。
【符号の説明】
【００３６】
１　    浮力付きアドバルーン
２　　　アドバルーン本体
３　　　太陽電池
４　　　ロープ体
５，６　　　広告用表示体
１０　　上面側膜材
１１　　下面側膜材
１４　　拘束手段
【図１】
0003099641.tif 000003
【図２】
0003099641.tif 000004
【図３】
0003099641.tif 000005
【図４】
0003099641.tif 000006
【図５】
0003099641.tif 000007